(57)【要約】【課題】原稿のページ順を揃える指示がある場合において、長尺原稿の両面読取を行うことができる原稿読取装置および原稿読取方法を提供する。【解決手段】両面に画像情報を有する複数の原稿が積載される原稿台２と、原稿を反転する反転ローラ１６と、排紙原稿束１５を再度原稿台２に積載するよう指示する再積載報知手段とを備え、排紙面揃え設定手段が排紙面揃えを行う指示であり、かつ、前記原稿の長さが所定よりも長い場合に、スキャナ部９が原稿の裏面の画像情報を読み取った後、原稿をそのままスタック部１４に排出し、再積載報知手段は、排紙原稿束１５を原稿台２に再積載するよう報知する。【選択図】図１
2012182575.tif 000002
【特許請求の範囲】
【請求項１】
両面に画像情報を有する複数の原稿が積載される原稿積載手段と、
前記原稿積載手段に積載された原稿を上から１枚ずつ分離して給送する分離給紙手段と、
原稿を反転する原稿反転手段と、
読取位置上を搬送される原稿の画像情報を読み取る原稿読取手段と、
両面の画像情報を読み取られた原稿を機外に排出する原稿排出手段と、
原稿の排紙面を揃えるか否かの指示を受ける排紙面揃え設定手段と、
を備えた原稿読取装置であって、
前記原稿束を再度前記原稿積載手段に積載するよう指示する再積載報知手段を備え、
排紙面揃え設定手段が排紙面揃えを行う指示であり、かつ、前記原稿の長さが反転経路から該反転経路までの搬送路長よりも長い場合に、
前記原稿読取手段が前記原稿の裏面の画像情報を読み取った後、
前記原稿排出手段は、前記原稿をそのまま機外に排出し、
前記再積載報知手段は、再積載するよう報知することを特徴とする原稿読取装置。
【請求項２】
前記分離給紙手段は前記原稿積載手段に再積載された前記原稿を分離して給送し、前記原稿反転手段は前記原稿を反転し、前記原稿排出手段は前記原稿を機外に排出することを特徴とする請求項１に記載の原稿読取装置。
【請求項３】
原稿の長さを測定する原稿長測定手段を備え、
該原稿長測定手段は、前記原稿の表面を読み取り中に前記原稿の長さを測定し、
前記原稿長測定手段による測定結果に基づいて、前記原稿読取手段が前記原稿の裏面の画像情報を読み取った後、前記原稿排出手段は、前記原稿をそのまま機外に排出し、前記再積載報知手段は、再積載するよう報知する動作を行うか否かを判断することを特徴とする請求項１又は２に記載の原稿読取装置。
【請求項４】
ユーザ指示原稿長で判断する原稿長をユーザが予め指示する原稿長設定手段とを備え、
前記原稿長設定手段による原稿長に基づいて、前記原稿読取手段が前記原稿の裏面の画像情報を読み取った後、前記原稿排出手段は、前記原稿をそのまま機外に排出し、前記再積載報知手段は、再積載するよう報知する動作を行うか否かを判断することを特徴とする請求項１又は２に記載の原稿読取装置。
【請求項５】
前記請求項１〜４の何れか１項に記載の原稿読取装置を備えた画像形成装置。
【請求項６】
両面に画像情報を有する複数の原稿が積載される原稿積載工程と、
前記原稿積載工程により積載された原稿を上から１枚ずつ分離して給送する分離給紙工程と、
読取位置上を搬送される原稿の画像情報を読み取る原稿読取工程と、
原稿を反転する原稿反転工程と、
原稿の排紙面を揃えるか否かの指示を受ける排紙面揃え設定工程と、
両面の画像情報を読み取られた原稿を機外に排出する原稿排出工程と、
を有する原稿読取方法であって、
前記原稿束を再度前記原稿積載手段に積載するよう指示する再積載報知工程を有し、
排紙面揃え設定手段が排紙面揃えを行う指示であり、かつ、前記原稿の長さが反転経路から該反転経路までの搬送路長よりも長い場合に、
前記原稿読取工程が前記原稿の裏面の画像情報を読み取った後、
前記原稿排出工程は、前記原稿をそのまま機外に排出し、
前記再積載報知工程は、再積載するよう報知することを特徴とする原稿読取方法。
【請求項７】
前記分離給紙工程は前記原稿積載手段に再積載された前記原稿を分離して給送し、前記原稿反転工程は前記原稿を反転し、前記原稿排出工程は、前記原稿を機外に排出することを特徴とする請求項６に記載の原稿読取方法。
【請求項８】
原稿の長さを測定する原稿長測定工程を有し、
前記原稿長測定工程は、前記原稿の表面を読み取り中に前記原稿の長さを測定し、
前記原稿長測定工程による測定結果に基づいて、前記原稿読取工程が前記原稿の裏面の画像情報を読み取った後、前記原稿排出工程は、前記原稿をそのまま機外に排出し、前記再積載報知工程は、再積載するよう報知する動作を行うか否かを判断することを特徴とする請求項６又は７に記載の原稿読取方法。
【請求項９】
ユーザ指示原稿長で判断する原稿長をユーザが予め指示する原稿長設定工程を有し、
前記原稿長設定工程による原稿長に基づいて、前記原稿読取工程が前記原稿の裏面の画像情報を読み取った後、前記原稿排出工程は、前記原稿をそのまま機外に排出し、前記再積載報知工程は、再積載するよう報知する動作を行うか否かを判断することを特徴とする請求項６又は７に記載の原稿読取方法。
【発明の詳細な説明】
【技術分野】
【０００１】
本発明は、複写機等に用いられる、原稿の表裏両面に形成された画像情報を読み取るための原稿読取装置、画像形成装置および原稿読取方法に関する。
【背景技術】
【０００２】
構成の簡素化、低コスト化を図るために、原稿を搬送する駆動系に単一の駆動モータを使用することが行われており、単一の駆動モータによって駆動される分離搬送手段によって原稿束の上から１枚ずつ原稿を読取位置に分離搬送した後、前記駆動モータによって駆動される排紙手段によって読取位置で表面の読み取りが終了した原稿を、原稿反転部で原稿の表裏を反転させた後、再び読取位置で原稿の裏面を読み取ることが一般に行われている。
【０００３】
また、両面の読み取りを終えて排紙トレイに排出される原稿のページ順を変えないためには、原稿トレイでの原稿の表面側を下向きにして排出する必要がある。排出された原稿全体をそのまま表裏反対にひっくり返すと、原稿のページ順が揃うためである。原稿の裏面側を下向きにして排出し、排出された原稿全体をそのまま表裏反対にひっくり返すと、偶数ページが表で、奇数ページが裏になってしまう。
【０００４】
そのため、さらにもう一度原稿反転部で原稿の表裏を反転して、原稿の表面を下向きにした状態で読取位置から排紙トレイに排出する。さらにもう一度原稿の表裏を反転させる際、原稿反転部から再度原稿反転部に原稿を搬送することになることから、原稿長によっては同一の原稿の先端部と後端部とが原稿反転部で競合してしまい原稿を反転できない。そのため、原稿のページ順を変えない設定の場合は、所定以上の原稿長の両面読み取りを実施すると紙詰まりでジャムとなることが既に知られている。
【０００５】
特許文献１には、原稿の読取位置の通過を必要最小限の２回だけとする目的で、原稿読取位置の上方で、原稿トレイより上部に原稿反転機構を備え、まず原稿を反転させ、先に原稿の裏面の読み取りを行う構成が開示されている。
【発明の概要】
【発明が解決しようとする課題】
【０００６】
しかし、長尺原稿であるならば、原稿の前部分と後部分が原稿反転部で重なってしまう。反転コロは反転ローラから離間してこれらの間の原稿を上下に抵抗なく移動しうるフリー状態としているが、原稿が非常に長い場合、原稿の後部分の重さにより、原稿の前部分が搬送路に入っていかず、紙詰まりが生じてしまう。原稿のページ順を揃えるようユーザが指示した場合に、長尺原稿の両面読み取りを正常に行えないという問題は解消できていない。
【０００７】
本発明は、上記に鑑みてなされたもので、その目的としては、原稿のページ順を揃える指示がある場合において、長尺原稿の両面読取を行うことが可能な原稿読取装置および原稿読取方法を提供することにある。
【課題を解決するための手段】
【０００８】
上記課題を解決するため、本発明の原稿読取装置は、両面に画像情報を有する複数の原稿が積載される原稿積載手段と、前記原稿積載手段に積載された原稿を上から１枚ずつ分離して給送する分離給紙手段と、原稿を反転する原稿反転手段と、読取位置上を搬送される原稿の画像情報を読み取る原稿読取手段と、両面の画像情報を読み取られた原稿を機外に排出する原稿排出手段と、原稿の排紙面を揃えるか否かの指示を受ける排紙面揃え設定手段と、を備えた原稿読取装置であって、前記原稿束を再度前記原稿積載手段に積載するよう指示する再積載報知手段を備え、排紙面揃え設定手段が排紙面揃えを行う指示であり、かつ、前記原稿の長さが反転経路から該反転経路までの搬送路長よりも長い場合に、前記原稿読取手段が前記原稿の裏面の画像情報を読み取った後、前記原稿排出手段は、前記原稿をそのまま機外に排出し、前記再積載報知手段は、再積載するよう報知することを特徴とする。
【０００９】
本発明の原稿読取装置は、前記分離給紙手段は前記原稿積載手段に再積載された前記原稿を分離して給送し、前記原稿反転手段は前記原稿を反転し、前記原稿排出手段は前記原稿を機外に排出することを特徴とする。
【００１０】
本発明の原稿読取装置は、原稿の長さを測定する原稿長測定手段を備え、該原稿長測定手段は、前記原稿の表面を読み取り中に前記原稿の長さを測定し、前記原稿長測定手段による測定結果に基づいて、前記原稿読取手段が前記原稿の裏面の画像情報を読み取った後、前記原稿排出手段は、前記原稿をそのまま機外に排出し、前記再積載報知手段は、再積載するよう報知する動作を行うか否かを判断することを特徴とする。
【００１１】
本発明の原稿読取装置は、ユーザ指示原稿長で判断する原稿長をユーザが予め指示する原稿長設定手段とを備え、前記原稿長設定手段による原稿長に基づいて、前記原稿読取手段が前記原稿の裏面の画像情報を読み取った後、前記原稿排出手段は、前記原稿をそのまま機外に排出し、前記再積載報知手段は、再積載するよう報知する動作を行うか否かを判断することを特徴とする。
【００１２】
本発明の画像形成装置は、原稿読取装置を備えたことを特徴とする。
【００１３】
本発明の原稿読取方法は、両面に画像情報を有する複数の原稿が積載される原稿積載工程と、前記原稿積載工程により積載された原稿を上から１枚ずつ分離して給送する分離給紙工程と、読取位置上を搬送される原稿の画像情報を読み取る原稿読取工程と、原稿を反転する原稿反転工程と、原稿の排紙面を揃えるか否かの指示を受ける排紙面揃え設定工程と、両面の画像情報を読み取られた原稿を機外に排出する原稿排出工程と、を有する原稿読取方法であって、前記原稿束を再度前記原稿積載手段に積載するよう指示する再積載報知工程を有し、排紙面揃え設定手段が排紙面揃えを行う指示であり、かつ、前記原稿の長さが反転経路から該反転経路までの搬送路長よりも長い場合に、前記原稿読取工程が前記原稿の裏面の画像情報を読み取った後、前記原稿排出工程は、前記原稿をそのまま機外に排出し、前記再積載報知工程は、再積載するよう報知することを特徴とする。
【００１４】
本発明の原稿読取方法は、前記分離給紙工程は前記原稿積載手段に再積載された前記原稿を分離して給送し、前記原稿反転工程は前記原稿を反転し、前記原稿排出工程は、前記原稿を機外に排出することを特徴とする。
【００１５】
本発明の原稿読取方法は、原稿の長さを測定する原稿長測定工程を有し、前記原稿長測定工程は、前記原稿の表面を読み取り中に前記原稿の長さを測定し、前記原稿長測定工程による測定結果に基づいて、前記原稿読取工程が前記原稿の裏面の画像情報を読み取った後、前記原稿排出工程は、前記原稿をそのまま機外に排出し、前記再積載報知工程は、再積載するよう報知する動作を行うか否かを判断することを特徴とする。
【００１６】
本発明の原稿読取方法は、ユーザ指示原稿長で判断する原稿長をユーザが予め指示する原稿長設定工程を有し、前記原稿長設定工程による原稿長に基づいて、前記原稿読取工程が前記原稿の裏面の画像情報を読み取った後、前記原稿排出工程は、前記原稿をそのまま機外に排出し、前記再積載報知工程は、再積載するよう報知する動作を行うか否かを判断することを特徴とする。
【発明の効果】
【００１７】
本発明によれば、原稿のページ順を揃える指示がある場合において、長尺原稿の両面読取を行うことができる。
【図面の簡単な説明】
【００１８】
【図１】本発明の一実施形態に係る原稿反転機構を備えた原稿読取装置の搬送経路全体を示す図である。
【図２】本発明の一実施形態に係る原稿読取装置の構成を示したブロック図である。
【図３】本発明の一実施形態に係る原稿読取装置において、長尺原稿が衝突したことを示す図である。
【図４】本発明の一実施形態に係る原稿読取装置において、長尺原稿を排出することを示す図である。
【図５】本発明の第１の実施形態に係る原稿読取装置の制御フロー図である。
【図６】本発明の第２の実施形態に係る原稿読取装置の制御フロー図である。
【発明を実施するための形態】
【００１９】
次に、本発明の一実施形態に係る原稿読取装置について、図面を参照して説明する。
図１は原稿反転機構を備えた原稿読取装置の搬送経路全体を示す図である。
原稿読取装置は、原稿台２とピックアップローラ３ａ、３ｂとフィードローラ４とスキャナ部９と排紙ローラ１１と分岐板１２ａ、１２ｂとスタック部１４と反転ローラ１６と反転ガイド１９とを有する。
【００２０】
原稿台２には、原稿束１がセットされる。ピックアップローラ３ａ、３ｂは、原稿台２の上方に設置されている。フィードローラ４は、ピックアップローラ３ａ、３ｂと連動されている。第１ガイド６には、プルアウトローラ対５とＲ１ローラ部７が設置されている。第２ガイド８と第３ガイド１０との間には、スキャナ部９を備え、第３ガイド１０の先端に、排紙ローラ１１と排紙コロ１３が設置されている。
【００２１】
スタック部１４は、排紙コロ１３の下方向に設置され、排紙原稿束１５が収容される。反転ローラ１６は、スタック部１４の上方向に設置される。
【００２２】
分岐板１２ａ、１２ｂは、排紙ローラ１１と反転ローラ１６との間に設置される。分岐板１２ａ、１２ｂの反転ローラ１６側は、支点となっており、分岐板１２ａ、１２ｂの排紙ローラ１１側の先端が、排紙ローラ１１の上部に位置しているとき、実線の状態（１２ａ）である。分岐板１２ａ、１２ｂの排紙ローラ１１側の先端が、排紙ローラ１１の下部で、排紙コロ１３に近接する位置に設定されているとき、破線の状態（１２ｂ）である。
【００２３】
反転ローラ１６の上端には、反転コロ１７が設置されている。また、排紙ローラ１１の上端には、中継コロ１８が設置されている。排紙ローラ１１と中継コロ１８との間に反転ガイド１９が設置され、反転ガイド１９は第１ガイド６に連接されている。
【００２４】
図２は本発明の一実施形態に係る原稿読取装置の構成を示したブロック図である。
原稿読取装置の制御部（ＣＰＵ）２０は、原稿セットセンサ２１とレジストセンサ２２とメインモータ２３と給紙クラッチ２４と分岐板切替ソレノイド２５とイメージセンサ２６とメモリ２７とから構成される。
【００２５】
原稿セットセンサ２１は、原稿台２に設置してあり、原稿台２上の原稿の有無を検知する。レジストセンサ２２は、第２ガイド８に設置され、原稿が読取待機位置に近接したことを検知する。メインモータ２３は、各ローラを駆動する。給紙クラッチ２４は、フィードローラ４の回転の有無を制御する。
【００２６】
分岐板切替ソレノイド２５は、排紙させる場合には分岐板１２ａ、１２ｂを実線の状態（１２ａ）に、そして反転経路へ案内する場合には破線の状態（１２ｂ）に切り換える。イメージセンサ２６は、スキャナ部９で、原稿画像の読み取りを行う。メモリ２７は、イメージセンサ２６により読み取った画像を格納する。
【００２７】
次に、図１において、原稿読取装置の動作について説明を行う。原稿読取装置には、これから分離・搬送される原稿束１、その原稿束１がセットされる原稿台２が設置されている。原稿台２には、原稿セットセンサ２１が設置してあり、原稿セットセンサ２１は原稿台２上の原稿の有無を検知する。原稿分離部は、ピックアップローラ３ａ、３ｂとフィードローラ４とから構成されている。
【００２８】
ピックアップローラ３ａ、３ｂは、フィードローラ４軸を回転支点とし、待機状態では原稿束２をセットできるように、破線で示される上部（３ａの位置）で、持ち上がった状態を維持している。
搬送開始命令により、ピックアップローラ３ａ、３ｂは、セットされた原稿束１に当接し、搬送力を与えるために破線の状態から実線の状態（３ｂの位置）に下降する。この上昇および下降はフィードローラ４の駆動時のフリクションにて行う。つまり、ピックアップローラ３ａ、３ｂの下降は、フィードローラ４の正転にて、上昇は逆転にて行われる。また、フィードローラ４は、給紙クラッチ２４により回転の有無を制御することができる。
【００２９】
フィードローラ４で分離された原稿束１の最上紙は、プルアウトローラ対５により、第１ガイド６を介してＲ１ローラ部７に搬送され、第２ガイド８を介してスキャナ部９に搬送される。なお、原稿束１が分離する仕組みは、フィードローラ４の回転速度が不図示のギヤにより、他のローラよりも遅くなっており、原稿が他のローラに挟持されて搬送される状態になったときには、フィードローラ４が空回りするためである。
【００３０】
第２ガイド８には、停止させた原稿をスキャナ部９に所定の速度で搬送するために必要な加速距離の分だけ、スキャナ部９から上流の位置に読取待機位置（不図示）がある。メモリ２７に空きがないケースやイメージセンサ２６の調整中など、搬送を継続してもスキャナ部９で読取できない場合には、原稿は読取待機位置で停止され、読取可能であることを確認した後、原稿はスキャナ部９に搬送される。原稿が読取待機位置に近接したことを検知するためのレジストセンサ２２が、第２ガイド８に設置されている。なお、レジストセンサ２２および読取待機位置は、第２ガイド８ではなく、第１ガイド６に位置しても構わない。
【００３１】
スキャナ部９では、イメージセンサ２６により、原稿画像の読み取りが行われる。イメージセンサ２６により読み取った画像は、一旦メモリ２７に格納される。なお、一連の制御は、制御部２０により行われる。スキャナ部９を通過した原稿は、第３ガイド１０を介して排紙ローラ１１へ搬送される。排紙ローラ１１の先には、分岐板１２ａ、１２ｂが設置され、分岐板１２ａ、１２ｂは、原稿の読み取り終了後そのまま排紙する場合と、裏面読み取りに向かうための反転経路への案内を切り換える場合と、原稿搬送経路の切り換え機能を有する。この分岐板１２ａ、１２ｂは、分岐板切替ソレノイド２５により、排紙させる場合には実線の状態（１２ａ）に、そして反転経路へ案内する場合には破線の状態（１２ｂ）に切り換わる。
【００３２】
排紙ローラ１１には、対抗コロが上下２対で構成され、排紙コロ１３が排紙および反転経路への搬送を行う。原稿の読み取り後に、原稿がそのままスタック部１４に排出される場合には、分岐板１２ａ、１２ｂは実線の状態（１２ａ）に位置することにより、原稿先端が排紙ローラ１１および排紙コロ１３により装置外へ搬送され、原稿後端が排紙ローラ１１を抜けると、原稿はそのまま自重にてスタック部１４に落下する。１５は排紙が完了した排紙原稿束である。
【００３３】
次に、両面読み取りの場合は、あらかじめ後続する原稿が給紙されないよう給紙クラッチ２４により、フィードローラ４の回転は停止される。分岐板１２ａ、１２ｂが破線の状態（１２ｂ）で待機していることにより、原稿先端は、排紙ローラ１１および排紙コロ１３にて反転ローラ１６および反転コロ１７のニップに搬送される。原稿後端が排紙ローラ１１を抜けると各ローラはいったん停止し、その時に、分岐板１２ａ、１２ｂは原稿後端を反転経路に案内するため、実線の位置に上昇する。
【００３４】
停止していた反転ローラ１６は、先ほどまでの回転方向と逆方向に回転し、排紙ローラ１１および中継コロ１８のニップに原稿後端を搬送する。排紙ローラ１１および中継コロ１８にて搬送される原稿は、反転ガイド１９を介して再度、Ｒ１ローラ部７へ搬送され、表面同様に裏面も読み取り処理が行われる。原稿を原稿反転部で反転する時、原稿は先端から反転ローラ１６および反転コロ１７のニップに入り、原稿の後端を排紙ローラ１１および中継コロ１８のニップに搬送する。原稿の表面と裏面の上下方向が逆に読み取られたとしても、全ての読取処理終了後に、上下逆になった原稿のデータを正しい方向に直すことができる。
【００３５】
排紙面揃え有りでもユーザが予め指定した原稿長が所定の長さより短い場合には、通常通り原稿裏面の読取後、原稿を反転して面揃えを行った上で排紙すればよい。スキャナ部９を通過した原稿は、再度排紙ローラ１１および排紙コロ１３のニップへ到達する。このとき両面の読み取りが終了しているが、そのままスタック部１４に排出すると、原稿のページの順番が揃わないため、分岐板１２ａ、１２ｂを破線の状態（１２ｂ）にし、原稿はもう一度反転経路へ搬送される。再度、反転ローラ１６および反転コロ１７で、原稿の表裏が反転され、原稿は反転ガイド１９を介してＲ１ローラ部７へ搬送される。原稿の表面と裏面とも読み取り済みのため、読取処理は行われずに、原稿は排紙ローラ１１へ到達する。分岐板１２ａ、１２ｂはそのまま実線の状態（１２ａ）にされ、原稿はそのままスタック部１４に排出される。
なお、各ローラはメインモータ２３により駆動される。
【００３６】
図３は、本実施形態の原稿読取装置において、長尺原稿が衝突したことを示す図である。
排紙面揃え有りかつユーザが予め指定した原稿長が所定の長さより長い場合には、図３に示すように、両面読取後、排紙面を揃えるために再度反転させようとすると、反転経路において、原稿同士が衝突してしまう。
【００３７】
詳細に説明すると、原稿は再度排紙ローラ１１および排紙コロ１３のニップへ到達する。この時、原稿の両面の読み取りは終了しているが、そのままスタック部１４に排出すると原稿面が揃わないため、分岐板１２ａ、１２ｂを実線の状態（１２ｂ）にし、原稿はもう一度反転経路へ搬送される。この時、原稿後部が反転経路に残っているので、反転ローラ１６および反転コロ１７は、原稿後部を搬送する方向に回転している。原稿先端は、分岐板１２ａ、１２ｂ上を搬送され、反転ローラ１６および反転コロ１７に到達するが、反転ローラ１６および反転コロ１７の回転方向が反対であるため、先に進むことができず、紙詰まりが生じてしまう。
なお、原稿の所定の長さは、反転経路から反転経路までの搬送路長に依存する。
【００３８】
図４は、本実施形態の原稿読取装置において、長尺原稿を排出することを示す図である。
排紙面揃え有りかつユーザが予め指定した原稿長が所定の長さより長い場合には、図４に示すように、表面同様に裏面もスキャナ部９で読み取り処理が行われた後、分岐板１２ａ、１２ｂはそのまま実線の状態（１２ａ）にする。原稿は、排紙ローラ１１および排紙コロ１３を通過し、そのままスタック部１４に排出される。原稿を反転して面揃えを行うことはないので、反転ローラ１６および反転コロ１７部分で、原稿同士が衝突し、紙詰まりが生じることはない。全ての原稿がスタック部１４に排出された後、排紙トレイにある排紙原稿束１５を再度原稿台にセットするようユーザは、報知される。報知方法は、操作パネルの表示やランプ、ブザー等が好適である。
【００３９】
原稿束１が原稿台２に再積載されたら、全原稿を反転排紙することで、面揃えを行うことができる。この際、既に原稿の両面とも読み取っているため、読取動作は不要である。
【００４０】
図５は、本発明の第１の実施形態に係る原稿読取装置の制御フロー図である。
まず、原稿台２から原稿を搬送経路に引き込む。
原稿が読取待機位置到達まで給紙動作を行う（ステップＳ１０１）。読取待機位置への到達はレジストセンサ２２の検知情報をもとに判断する（ステップＳ１０２）。そして、読取位置において原稿表面の読取を行い（ステップＳ１０３）、原稿を反転させる（ステップＳ１０４）。読取待機位置への到達は、レジストセンサ２２の検知情報をもとに判断する（ステップＳ１０５）。
【００４１】
排紙面揃えが有るかを判断し（ステップＳ１０６）、排紙面揃え無しの場合（ステップＳ１０６、Ｎｏ）は、原稿裏面の読取を実施し（ステップＳ１０７）、排紙動作を行う（ステップＳ１０８）。
【００４２】
また、排紙面揃え有りで（ステップＳ１０６、Ｙｅｓ）、ユーザが予め指定した原稿長が所定の長さより短い場合には（ステップＳ１０９、Ｙｅｓ）、通常通り原稿裏面の読取後（ステップＳ１１０）、原稿を反転して面揃えを行った上で排紙すればよい（ステップＳ１１１）。
【００４３】
排紙面揃え有りで（ステップＳ１０６、Ｙｅｓ）、ユーザが予め指定した原稿長が所定の長さより長い場合には（ステップＳ１０９、Ｎｏ）、排紙面揃え無しの場合と同様に原稿裏面の読取を実施し（ステップＳ１１２）、排紙動作を行う（ステップＳ１１３）。原稿台２にセットされた全ての原稿について上記動作を繰り返す（ステップＳ１１４）。
【００４４】
全原稿の読取が終了した後、排紙トレイにある排紙原稿束１５を再度原稿台にセットするようユーザに対して報知する（ステップＳ１１５）。
原稿束１が原稿台２に再積載されたら（ステップＳ１１６）、全原稿を反転排紙することで、面揃えを行うことができる（ステップＳ１１７）。この際、既に両面とも読み取っているため、読取動作は不要である。
【００４５】
図６は、本発明の第２の実施形態に係る原稿読取装置の制御フロー図である。
基本的なフローは、図５の実施形態と同じであり、共通事項の符号は同一にし、説明は省略する。
【００４６】
スキャナ部９で、原稿の表面読取時に、センサ（例えば、レジストセンサ２２）のオンからオフまでの時間と搬送速度を利用して、搬送中の原稿の長さを実測する（ステップＳ２０１）。実測した原稿長さは、排紙面揃えした反転排紙動作が可能かどうかの判断に利用される（ステップＳ１０９）。
【符号の説明】
【００４７】
１    原稿束
２    原稿台
３ａ、３ｂ    ピックアップローラ
４    フィードローラ
９    スキャナ部
１１    排紙ローラ
１２ａ、１２ｂ    分岐板
１３    排紙コロ
１４    スタック部
１６    反転ローラ
１９    反転ガイド
【先行技術文献】
【特許文献】
【００４８】
【特許文献１】特許第３２１５８１１号公報
【図１】
2012182575.tif 000003
【図２】
2012182575.tif 000004
【図３】
2012182575.tif 000005
【図４】
2012182575.tif 000006
【図５】
2012182575.tif 000007
【図６】
2012182575.tif 000008